(57)【要約】      （修正有）【課題】猫などのペットが安全に屋外の通路を散歩することができ、ストレスや運動不足を解消することができる手段を提供する。【解決手段】ペット通路カバーＡは、猫などのペットＰが散歩する屋外の通路ｒに沿って該通路ｒを覆い、内部をペットＰが通過できるように形成されたトンネル状のカバー本体１を備え、このトンネル状のカバー本体１の端部開口１１は、ペットＰが出入りする出入口１１’であり、カバー本体１の内側からカバー本体１の外側が見えるように形成する。【選択図】図１
0003156667.tif 000002
【実用新案登録請求の範囲】
【請求項１】
猫などのペットが散歩する屋外の通路に沿って該通路を覆い、内部を前記ペットが通過できるように形成されたトンネル状のカバー本体を備え、
このトンネル状のカバー本体の端部開口は、前記ペットが出入りする出入口であり、
前記カバー本体の内側から前記カバー本体の外側が見えるように形成されていることを特徴とするペット通路カバー。
【請求項２】
カバー本体は、出入口を除いて、ペットが通過できない大きさであって、前記カバー本体内の空気と前記カバー本体外の空気とを換気できる大きさの少なくとも１個以上の通気孔を有していることを特徴とする請求項１記載のペット通路カバー。
【請求項３】
出入口は、ペットが屋内から出入りできるように、前記屋内に臨むように設けられていることを特徴とする請求項１または２記載のペット通路カバー。
【請求項４】
出入口に設けられ、ペットの出入りに応じて開閉可能な扉を備えていることを特徴とする請求項１〜３のいずれか１項に記載のペット通路カバー。
【請求項５】
カバー本体は、メッシュ状に形成されていることを特徴とする請求項１〜４のいずれか１項に記載のペット通路カバー。
【考案の詳細な説明】
【技術分野】
【０００１】
本考案は、猫などのペットが散歩する屋外の通路に沿って該通路をトンネル状に覆うペット通路カバーに関する。
【背景技術】
【０００２】
例えば、猫などのような縄張りを持つ動物は、自分のテリトリーの状況を確認するために、定期的に該テリトリーの周囲を巡回する性質がある。
【０００３】
近年、猫などのペットを飼う人が増えているが、他の動物との接触により、喧嘩をしてケガをしたり、ノミ、ダニ、寄生虫、ウィルス性伝染病などを移されてしまうこともあり、加えて、自動車保有台数の増加とも相俟ってペットが交通事故に会う危険性が高まっている。
【０００４】
その防止策として、例えば、特許文献１の図１等に示されているようなフェンスが考案され、屋内にフェンスを張ってペットの行動範囲を制限したり、ペットが敷地外に出ないように高い塀を設けて予防を図っている。
【先行技術文献】
【特許文献】
【０００５】
【特許文献１】実用新案登録第３０７８０６６号公報
【考案の概要】
【考案が解決しようとする課題】
【０００６】
しかしながら、上述したような方策にあっては、ペットにとって行動範囲が極端に制限されてしまうため、ストレスや運動不足が助長され、却ってペットの身体に不具合を来すなどの弊害が生じてしまうという問題点があった。
【０００７】
本考案は、上述した問題点を解決するためになされたものである。
【課題を解決するための手段】
【０００８】
請求項１に係る考案は、猫などのペットが散歩する屋外の通路に沿って該通路を覆い、内部を前記ペットが通過できるように形成されたトンネル状のカバー本体を備え、このトンネル状のカバー本体の端部開口は、前記ペットが出入りする出入口であり、前記カバー本体の内側から前記カバー本体の外側が見えるように形成されているペット通路カバーである。
【０００９】
請求項２に係る考案は、請求項１記載のペット通路カバーにおいて、カバー本体は、出入口を除いて、ペットが通過できない大きさであって、前記カバー本体内の空気と前記カバー本体外の空気とを換気できる大きさの少なくとも１個以上の通気孔を有しているものである。
【００１０】
請求項３に係る考案は、請求項１または２記載のペット通路カバーにおいて、出入口は、ペットが屋内から出入りできるように、前記屋内に臨むように設けられているものである。
【００１１】
請求項４に係る考案は、請求項１〜３のいずれか１項に記載のペット通路カバーにおいて、出入口に設けられ、ペットの出入りに応じて開閉可能な扉を備えているものである。
【００１２】
請求項５に係る考案は、請求項１〜４のいずれか１項に記載のペット通路カバーにおいて、カバー本体は、メッシュ状に形成されているものである。
【考案の効果】
【００１３】
請求項１に記載のペット用通路カバーによれば、ペットが通路外に出るのを防止することができ、行方不明になったり、他の動物に接触したり、交通事故に遭遇するのを回避することができ、しかも、カバー本体の内側からカバー本体の外側が見えるため、ペット自身がテリトリーの状況を直接確認することができ、安心感を与えることができる。
【００１４】
請求項２に記載の考案によれば、請求項１記載のペット通路カバーの効果に加え、通気孔を有しているため、カバー本体内の換気を行うことができ、該カバー本体内の空気を清浄に保つことができる。
【００１５】
請求項３に記載の考案によれば、請求項１または２記載のペット通路カバーの効果に加え、出入口が屋内に臨むように設けられているため、ペットが誤って屋外に出てしまい、行方不明になったり、他の動物に接触したり、交通事故に遭遇するのをより一層防ぐことができる。
【００１６】
請求項４に記載の考案によれば、請求項１〜３記載のペット通路カバーの効果に加え、出入口に設けられ、ペットの出入りに応じて開閉可能な扉を備えているため、屋内と屋外のペットの通路とを仕切ることができ、屋内へ雨水等が侵入するのを防止することができる。
【００１７】
請求項５に記載の考案によれば、請求項１〜４記載のペット通路カバーの効果に加え、カバー本体は、メッシュ状に形成されているため、簡易な構成で換気やカバー本体外側の視認を容易に行うができる。
【図面の簡単な説明】
【００１８】
【図１】本発明に係るペット用通路カバーの一実施例を示した概略的斜視図である。
【図２】図１の敷設状態の一例を示した概略的斜視図である。
【図３】図１の敷設状態の一例を示した概略的斜視図である。
【図４】図１の敷設状態の一例を示した概略図であり、図４（ａ）は側面図を、図４（ｂ）は斜視図をそれぞれ示している。
【図５】図１の敷設状態の一例を示した概略的斜視図である。
【図６】図１の設置状態を示した概略的正面図であり、図６（ａ）は設置場所に載置したものを、図６（ｂ）は固定部材により設置場所に固定したものを、図６（ｃ）はカバー本体の下端部を設置場所に打ち込んだものをそれぞれ示している。
【図７】図１のペット用通路カバーに床板を備えさせたものの概略的正面図であり、図７（ａ）は地面に設置した状態を、図７（ｂ）は塀の頂部に設置した状態をそれぞれ示している。
【図８】図１のペット用通路カバーに扉を設けたものの、概略的側面図を示している。
【図９】図１の変形例を示した概略的斜視図であり、図９（ａ）は断面矩形のものを、図９（ｂ）は断面円形のものをそれぞれ示している。
【考案を実施するための形態】
【００１９】
本発明の一実施例を図１〜図７を参照して説明する。図１において、Ａは、ペット用通路カバーであり、ペット用通路カバーＡは、概略的に、カバー本体１により構成されている。なお、本考案におけるペットＰとは、特に、縄張りを持つ習性のある比較的小形の動物であり、例えば、猫などである。
【００２０】
前述のカバー本体１は、図１に示したように、ペットＰが散歩する屋外の通路ｒに沿って該通路ｒを覆い、内部をペットＰが通過できるように形成されたトンネル状のもので、例えば、通路ｒ方向を横断する断面がアーチ状に形成されている。
【００２１】
このカバー本体１は、該カバー本体１の内側から該カバー本体１の外側が見えるように形成されているもので、例えば、透明なプラスチック材料（ポリエチレン、ポリプロピレン、ポリカーボネイト、ポリエチレンテレフタレートなどの樹脂）で造られ、このプラスチック材料の板状若しくはメッシュ状のもの、または、ステンレス鋼など錆びにくい金属材料のメッシュ状のものなどをトンネル形状に加工して用いることができる。
【００２２】
また、トンネル状のカバー本体１の端部開口１１は、ペットＰが出入りする出入口１１’であり、この出入口１１’は、例えば、図２、図３に示したように、ペットＰが屋内から出入りできるように、建物Ｋの壁Ｗに形成された開口部ｅに連通し、屋内に臨むように設けられている。なお、出入口１１’は、１箇所（図２参照）に限らず、複数箇所（図３参照、同図では２箇所に設けたものを例示）に設けることができ、ペットＰの通路の構成に応じて適宜決めることができる。
【００２３】
また、カバー本体１は、該カバー本体１内の空気を清浄に保つことができるように、出入口１１’を除いて、ペットＰが通過できない大きさであって、カバー本体１内の空気とカバー本体１外の空気とを換気できる大きさの少なくとも１個以上の通気孔を有しているのが好ましく、特に、図１〜図７に示したように、メッシュ状に形成されているのがより好ましい。これにより、ペットＰは、通路ｒ内において、常に新鮮な空気に接し、快適に過ごすことができる。
【００２４】
図４（ａ）、（ｂ）および図５は、ペット用通路カバーＡの敷設状態を例示したもので、ペット用通路カバーＡは、図４（ａ）、（ｂ）に示したように、ペットＰが地面ｇ上を移動できるように、該地面ｇ上に設置したり、塀ｆを昇降できるように、該塀ｆに沿って上下方向に設置したり（この場合、同図に示したように、踏み台Ｓを塀ｆに沿ってカバー本体１内に並設するようにしてもよい）、塀ｆの上を移動できるように、該塀ｆの頂部に沿って設置したり、あるいは、図５に示したように、縁側ｔなどの下を通して設置するようにしてもよい。
【００２５】
上述したペット用通路カバーＡの設置にあっては、図６（ａ）に示したように、設置場所ｍ上に単にカバー本体１を載置するだけでも構わないが、図６（ｂ）に示したように、カバー本体１の下端部を、アンカーなどの固定部材３、３、・・・を用いて設置場所ｍに固定したり、図６（ｃ）に示したように、カバー本体１の下端部を設置場所ｍに打ち込むようにして固定してもよい。
【００２６】
また、このペット用通路カバーＡには、図７（ａ）に示したように、通路ｒに沿うように、カバー本体１下部に床板２を備えさせることもできるもので、特に、塀ｆ上のように幅の狭い場所にあっては、図４（ａ）、（ｂ）および図７（ｂ）に示したように、この床板２を備えることで、通路ｒの幅を拡張することができ、ペットＰがより一層歩行しやすくなる。
【００２７】
ところで、カバー本体１の端部開口１１である出入口１１’には、図８に示したように、ペットＰの出入りに応じて開閉可能な扉１２を設けるようにしてもよい。この扉１２は、例えば、出入口１１’のカバー本体１上部に設けられたヒンジ１２ａと、このヒンジ１２ａに上端部が取り付けられ、出入口１１’を開閉可能に垂下した扉本体１２ｂとを備えているもので、ペットＰが、例えば、頭で押すことにより扉本体１２ｂが前方に押し開くようになっている。なお、常時は、この扉１２は閉まっており、出入口１１’が、建物Ｋの壁Ｗの開口部ｅに連通している場合にあっては、屋内へ雨水等が侵入するのを防止することができる。
【００２８】
なお、上述した実施例にあっては、カバー本体１が、通路ｒ方向を横断する断面がアーチ状に形成されているものを例にとって説明したが、この断面形状に限らず、例えば、図９（ａ）に示したように、矩形状であったり、図９（ｂ）に示したように、円形状にするようにしてもよい。
【符号の説明】
【００２９】
Ａ      ペット用通路カバー
Ｐ      ペット
ｒ      通路
１      カバー本体
１１    端部開口
１１’  出入口
１２    扉
【図１】
0003156667.tif 000003
【図２】
0003156667.tif 000004
【図３】
0003156667.tif 000005
【図４】
0003156667.tif 000006
【図５】
0003156667.tif 000007
【図６】
0003156667.tif 000008
【図７】
0003156667.tif 000009
【図８】
0003156667.tif 000010
【図９】
0003156667.tif 000011